(57)【要約】      （修正有）【課題】機器本体に装着される電池からの電力により無線通信を行った場合においても、ユーザの所望する利用方法に応じた通信制御を行うことができる無線通信装置を提供する。【解決手段】無線通信装置は、被写体の光学像を取り込み画像信号を生成する撮像手段と、該画像信号を画像データとして格納するメモリ手段と、前記画像データを外部機器に無線通信により送信するデータ送信動作を実行する通信手段と、前記撮像手段及び前記通信手段に電力供給を行う電池と、該電池の残量を検出し、該残量が所定量を下回るか否かを判定する判定手段と、該残量が前記所定量を下回る場合に前記通信手段によるデータ送信動作を停止する制御手段を備える。【選択図】図２
2010283810.tif 000002
【特許請求の範囲】
【請求項１】
被写体の光学像を取り込み画像信号を生成する撮像手段と、
該画像信号を画像データとして格納するメモリ手段と、
前記画像データを外部機器に無線通信により送信するデータ送信動作を実行する通信手段と、
前記撮像手段及び前記通信手段に電力供給を行う電池と、
該電池の残量を検出し、該残量が所定量を下回るか否かを判定する判定手段と、
該残量が前記所定量を下回る場合に前記通信手段によるデータ送信動作を停止する制御手段を備える無線通信装置。
【請求項２】
画像データを格納するメモリ手段と、
前記画像データを外部機器に無線通信により送信するデータ送信動作を実行する通信手段と、
前記画像データを表示する表示手段と、
前記通信手段及び前記表示手段に電力供給を行う電池と、
該電池の残量を検出し、該残量が所定量を下回るか否かを判定する判定手段と、
該残量が前記所定量を下回る場合に前記通信手段によるデータ送信動作を停止する制御手段を備える無線通信装置。
【請求項３】
音声を取り込み音声信号を生成する音声取得手段と、
該音声信号を音声データとして格納するメモリ手段と、
前記音声データを外部機器に無線通信により送信するデータ送信動作を実行する通信手段と、
前記音声取得手段及び前記通信手段に電力供給を行う電池と、
該電池の残量を検出し、該残量が所定量を下回るか否かを判定する判定手段と、
該残量が前記所定量を下回る場合に前記通信手段によるデータ送信動作を停止する制御手段を備える無線通信装置。
【請求項４】
音声データを格納するメモリ手段と、
前記音声データを外部機器に無線通信により送信するデータ送信動作を実行する通信手段と、
前記音声データを再生出力する再生手段と、
前記通信手段及び前記再生手段に電力供給を行う電池と、
該電池の残量を検出し、該残量が所定量を下回るか否かを判定する判定手段と、
該残量が前記所定量を下回る場合に前記通信手段によるデータ送信動作を停止する制御手段を備える無線通信装置。
【請求項５】
前記所定量は任意に変更可能であることを特徴とする請求項１乃至４記載のいずれかの無線通信装置。
【請求項６】
前記判定手段は、前記電池の出力電圧レベルを検出するレベル検出手段と、該出力電圧レベルが所定レベルを下回るか否かを判定するレベル判定手段を備えることを特徴とする請求項１乃至４記載のいずれかの無線通信装置。
【請求項７】
前記所定レベルは任意に変更可能であることを特徴とする請求項６記載の無線通信装置。
【請求項８】
前記制御手段により前記データ通信動作が停止されている状態で、前記電池に代えて外部電源により前記電力供給を行った場合には、前記制御手段が前記データ通信動作の停止を解除することを特徴とする請求項１乃至４記載のいずれかの無線通信装置。
【請求項９】
外部機器と無線通信を実行する無線通信装置において、
被写体の光学増を取り込み画像信号を生成する撮像手段と、
前記画像信号を画像データとして格納するメモリ手段と、
前記外部機器と本体装置との無線通信を確立状態にせしめる確立手段と、
前記確立状態で前記画像データを前記外部機器に無線通信により送信するデータ送信動作を実行する通信手段と、
前記撮像手段及び前記通信手段に電力供給を行う電池と、
前記電池の残量を検出し、該残量が所定量を下回るか否かを判断する判断手段と、
前記残量が前記所定量を下回る場合に前記確立状態を解除し前記通信手段によるデータ送信動作を停止する制御手段を備える無線通信装置。
【請求項１０】
外部機器と無線通信を実行する無線通信装置において、
画像データを格納するメモリ手段と、
前記外部機器と本体装置との無線通信を確立状態にせしめる確立手段と、
前記確立状態で前記画像データを前記外部機器に無線通信により送信するデータ送信動作を実行する通信手段と、
前記画像データを表示する表示手段と、
前記通信手段及び前記表示手段に電力供給を行う電池と、
前記電池の残量を検出し、該残量が所定量を下回るか否かを判断する判断手段と、
前記残量が前記所定量を下回る場合に前記確立状態を解除し前記通信手段によるデータ送信動作を停止する制御手段を備える無線通信装置。
【請求項１１】
外部機器と無線通信を実行する無線通信装置において、
音声を取り込み音声信号を生成する音声取得手段と、
前記音声信号を音声データとして格納するメモリ手段と、
前記外部機器と本体装置との無線通信を確立状態にせしめる確立手段と、
前記確立状態で前記音声データを前記外部機器に無線通信により送信するデータ送信動作を実行する通信手段と、
前記音声手段及び前記通信手段に電力供給を行う電池と、
前記電池の残量を検出し、該残量が所定量を下回るか否かを判断する判断手段と、
前記残量が前記所定量を下回る場合に前記確立状態を解除し前記通信手段によるデータ送信動作を停止する制御手段を備える無線通信装置。
【請求項１２】
外部機器と無線通信を実行する無線通信装置において、
音声データを格納するメモリ手段と、
前記外部機器と本体装置との無線通信を確立状態にせしめる確立手段と、
前記確立状態で前記音声データを前記外部機器に無線通信により送信するデータ送信動作を実行する通信手段と、
前記通信手段及び前記再生手段に電力供給を行う電池と、
前記電池の残量を検出し、該残量が所定量を下回るか否かを判断する判断手段と、
前記残量が前記所定量を下回る場合に前記確立状態を解除し前記通信手段によるデータ送信動作を停止する制御手段を備える無線通信装置。
【発明の詳細な説明】
【技術分野】
【０００１】
本発明は、他の無線通信機器と無線による通信を行う無線機能を備えた無線通信装置において、本体機器に装着された電池の電圧に応じて通信の制御を行う無線通信装置に関する。
【背景技術】
【０００２】
近年、例えばデジタルカメラのような撮像装置において、無線ＬＡＮのクライアントに相当する機能（ハードウェアおよびソフトウェア）が内蔵され、かつ外部メモリカード機能を持つメモリカードを装着することによって、デジタルカメラ本体内に無線ＬＡＮクライアント機能を持たずとも、該メモリカードから無線ＬＡＮの親機（アクセスポイント）を介して、ネットワーク接続が可能となるシステムが構築された。上述したメモリカードの例としては、Ｅｙｅ−Ｆｉ（登録商標）Ｓｈａｒｅ  Ｖｉｄｅｏが挙げられ、該メモリカードを使用して上述した無線ＬＡＮ通信が可能であるデジタルカメラとして非特許文献
１のデジタルカメラが挙げられる。
【非特許文献１】カシオ  液晶デジタルカメラＥＸ−ＦＣ１００  取扱説明書
【発明の開示】
【発明が解決しようとする課題】
【０００３】
上述した無線ＬＡＮクライアント機能を持つ外部メモリカード（以下、無線ＬＡＮ内蔵メモリカードと称す）が装着されたデジタルカメラにおいて、無線ＬＡＮ通信を行う際には、例えば、撮像処理を行う際の電力が必要となる。電力の供給源としては、デジタルカメラにＡＣアダプタが接続されることによるＡＣアダプタからの電力と、デジタルカメラに装着される電池からの電力の、少なくとも２種類が挙げられる。
【０００４】
また、該デジタルカメラにおいて無線ＬＡＮ内蔵メモリカードを介した無線ＬＡＮ通信を行う形態として、ユーザがデジタルカメラを手に持って撮影や画像データの再生等のカメラ／再生機能が動作している状態で無線ＬＡＮ通信を行う形態と、ユーザが該デジタルカメラから手を離した状態、すなわち撮影や画像データの再生等のカメラ／再生機能が動作していない状態で無線ＬＡＮ通信のみを行う形態の、少なくとも２種類が挙げられる。
【０００５】
ここで、ユーザがデジタルカメラから手を離した状態で、かつ該デジタルカメラに装着される電池からの電力により該無線ＬＡＮ内蔵メモリカードを介して無線ＬＡＮ通信を行った場合、無線ＬＡＮ通信に起因する電力の消耗により、著しく電池の電圧が低下するといったケースが発生したとしても、ユーザは、デジタルカメラから手を離した状態であるため、電池の電圧の低下に気づかない虞がある。
【０００６】
従って、上述したケースが発生した直後に、ユーザがデジタルカメラを手に持って使用したい状況になった場合に、電池の電圧の著しい低下により、ユーザが所望する動作を行うことができなくなってしまう虞がある。
【０００７】
本発明は、上記の問題点を解決するもので、機器本体に装着される電池からの電力により無線通信を行った場合においても、ユーザの所望する利用方法に応じた通信制御を行うことができる無線通信装置を提供するものである。
【課題を解決するための手段】
【０００８】
第１の発明の無線通信装置は、被写体の光学像を取り込み画像信号を生成する撮像手段と、該画像信号を画像データとして格納するメモリ手段と、前記画像データを外部機器に無線通信により送信するデータ送信動作を実行する通信手段と、前記撮像手段及び前記通信手段に電力供給を行う電池と、該電池の残量を検出し、該残量が所定量を下回るか否かを判定する判定手段と、該残量が前記所定量を下回る場合に前記通信手段によるデータ送信動作を停止する制御手段を備えることを特徴とする。
【０００９】
第２の発明の無線通信装置は、画像データを格納するメモリ手段と、前記画像データを外部機器に無線通信により送信するデータ送信動作を実行する通信手段と、前記画像データを表示する表示手段と、前記通信手段及び前記表示手段に電力供給を行う電池と、該電池の残量を検出し、該残量が所定量を下回るか否かを判定する判定手段と、該残量が前記所定量を下回る場合に前記通信手段によるデータ送信動作を停止する制御手段を備えることを特徴とする。
【００１０】
第３の発明の無線通信装置は、音声を取り込み音声信号を生成する音声取得手段と、該音声信号を音声データとして格納するメモリ手段と、前記音声データを外部機器に無線通信により送信するデータ送信動作を実行する通信手段と、前記音声取得手段及び前記通信手段に電力供給を行う電池と、該電池の残量を検出し、該残量が所定量を下回るか否かを判定する判定手段と、該残量が前記所定量を下回る場合に前記通信手段によるデータ送信動作を停止する制御手段を備えることを特徴とする。
【００１１】
第４の発明の無線通信装置は、音声データを格納するメモリ手段と、前記音声データを外部機器に無線通信により送信するデータ送信動作を実行する通信手段と、前記音声データを再生出力する再生手段と、前記通信手段及び前記再生手段に電力供給を行う電池と、該電池の残量を検出し、該残量が所定量を下回るか否かを判定する判定手段と、該残量が前記所定量を下回る場合に前記通信手段によるデータ送信動作を停止する制御手段を備えることを特徴とする。
【００１２】
第５の発明の無線通信装置は、第１の発明乃至第４の発明のいずれかに従属し、前記所定量は任意に変更可能であることを特徴とする。
【００１３】
第６の発明の無線通信装置は、第１の発明乃至第４の発明のいずれかに従属し、前記判定手段は、前記電池の出力電圧レベルを検出するレベル検出手段と、該出力電圧レベルが所定レベルを下回るか否かを判定するレベル判定手段を備えることを特徴とする。
【００１４】
第７の発明の無線通信装置は、第６の発明に従属し、前記所定レベルは任意に変更可能であることを特徴とする。
【００１５】
第８の発明の無線通信装置は、第１の発明乃至第４の発明のいずれかに従属し、前記制御手段により前記データ通信動作が停止されている状態で、前記電池に代えて外部電源により前記電力供給を行った場合には、前記制御手段が前記データ通信動作の停止を解除することを特徴とする。
【００１６】
第９の発明の無線通信装置は、外部機器と無線通信を実行する無線通信装置であって、被写体の光学増を取り込み画像信号を生成する撮像手段と、画像信号を画像データとして格納するメモリ手段と、外部機器と本体装置との無線通信を確立状態にせしめる確立手段と、確立状態で画像データを外部機器に無線通信により送信するデータ送信動作を実行する通信手段と、撮像手段及び通信手段に電力供給を行う電池と、電池の残量を検出し、該残量が所定量を下回るか否かを判断する判断手段と、残量が所定量を下回る場合に確立状態を解除し通信手段によるデータ送信動作を停止する制御手段を備えることを特徴とする。
【００１７】
第１０の発明の無線通信装置は、外部機器と無線通信を実行する無線通信装置であって、画像データを格納するメモリ手段と、外部機器と本体装置との無線通信を確立状態にせしめる確立手段と、確立状態で画像データを外部機器に無線通信により送信するデータ送信動作を実行する通信手段と、画像データを表示する表示手段と、通信手段及び表示手段に電力供給を行う電池と、電池の残量を検出し、該残量が所定量を下回るか否かを判断する判断手段と、残量が所定量を下回る場合に確立状態を解除し通信手段によるデータ送信動作を停止する制御手段を備えることを特徴とする。
【００１８】
第１１の発明の無線通信装置は、外部機器と無線通信を実行する無線通信装置であって、音声を取り込み音声信号を生成する音声取得手段と、音声信号を音声データとして格納するメモリ手段と、外部機器と本体装置との無線通信を確立状態にせしめる確立手段と、確立状態で音声データを外部機器に無線通信により送信するデータ送信動作を実行する通信手段と、音声手段及び通信手段に電力供給を行う電池と、電池の残量を検出し、該残量が所定量を下回るか否かを判断する判断手段と、残量が所定量を下回る場合に確立状態を解除し通信手段によるデータ送信動作を停止する制御手段を備えることを特徴とする。
【００１９】
第１２の発明の無線通信装置は、外部機器と無線通信を実行する無線通信装置であって、音声データを格納するメモリ手段と、外部機器と本体装置との無線通信を確立状態にせしめる確立手段と、確立状態で音声データを外部機器に無線通信により送信するデータ送信動作を実行する通信手段と、通信手段及び再生手段に電力供給を行う電池と、電池の残量を検出し、該残量が所定量を下回るか否かを判断する判断手段と、残量が所定量を下回る場合に確立状態を解除し通信手段によるデータ送信動作を停止する制御手段を備えることを特徴とする。
【発明の効果】
【００２０】
本発明の無線通信装置によれば、機器本体に装着される電池からの電力により無線通信を行った場合においても、ユーザの所望する利用方法に応じた通信制御を行うことができる。
【図面の簡単な説明】
【００２１】
【図１】本実施例に係る無線通信システムを示す図解図である。
【図２】本実施例に係るデジタルカメラを示すブロック図である。
【図３】本実施例に係るデジタルカメラのＬＣＤ上に表示されるメニュー画面の一部を示す遷移図である。
【図４】本実施例に適用されるメインＣＰＵの動作の一部を示すフローチャートである。
【図５】本実施例に適用されるメインＣＰＵの動作の他の一部を示すフローチャートである。
【発明を実施するための形態】
【００２２】
以下、本発明の無線通信装置の一実施例として、デジタルカメラ１０に実施した形態につき、図面に沿って具体的に説明する。
【００２３】
図１は、本実施例の無線ＬＡＮ内蔵メモリカード２が装着されたデジタルカメラ１０において、パーソナルコンピュータ８（以下、ＰＣ）と無線ＬＡＮ通信を行うシステムの図解図である。
【００２４】
まず、所定のソフトウェアがインストールされたＰＣ８に、ユーザによって無線ＬＡＮ内蔵メモリカード２が装着されることによって、ＰＣ８は、無線ＬＡＮ内蔵メモリカード２に所定のセットアップを行う。そしてセットアップされた無線ＬＡＮ内蔵メモリカード２がデジタルカメラ１０に装着されると、該無線ＬＡＮ内蔵メモリカード２は、無線ＬＡＮ親機機能を有する無線ＬＡＮブロードバンドルータ６のアクセスポイントであるサービスセット識別子（ＳＳＩＤ）を受信する。ＳＳＩＤが予めＰＣ８によりセットアップされたＳＳＩＤであり、暗号キーが一致すると、クライアントである無線ＬＡＮ内蔵メモリカードとアクセスポイントである無線ＬＡＮブロードバンドルータ６の接続が確立する。なお、無線ＬＡＮブロードバンドルータ６とＰＣ８もまた、ＰＣ８に接続された図示しない無線ＬＡＮアダプタで無線ＬＡＮによる通信が確立されている。
【００２５】
そして、デジタルカメラ１０が操作されることにより、無線ＬＡＮによるデータ通信ＯＮ状態に設定されると、デジタルカメラ１０が撮像処理を実行することによって得られる画像データが、無線ＬＡＮ内蔵メモリカード２および無線ＬＡＮブロードバンドルータ６を介してＰＣ８に転送される。
【００２６】
次に、図２の無線ＬＡＮ内蔵メモリカード２が装着されたデジタルカメラ１０のブロック図を用いて、さらに詳細に説明する。
【００２７】
デジタルカメラ１０は光学レンズ１６および図示しない絞りを含み、被写体の光学像はＣＰＵ２２による指示によって、図示しないモータ駆動部に制御された光学レンズ１６および絞りを通して、ＣＭＯＳイメージャユニット１８に取り込まれる。そして、ＣＰＵ２２に接続された図示しないタイミングジェネレータによって与えられる取り込みパルスによって、ＣＭＯＳイメージャユニット１８から１フレーム分のデジタル撮像信号が出力される。ここで、ＣＭＯＳイメージャユニット１８では、各画素で蓄積した電荷を増幅し、各画素から配線を使用して信号として読み出しを行い、該信号に対して、相関２重サンプリング処理、ゲイン調整、クランプ処理、Ａ／Ｄ変換処理を施す。該処理が施されたデジタル撮像信号は、画素毎にＲ、Ｇ、Ｂのいずれかの色信号を有し、ＣＰＵ２２の制御によって、バス４０を介してＳＤＲＡＭ３２に一旦格納される。
【００２８】
ＳＤＲＡＭ３２に一旦格納されたデジタル撮像信号は、ＣＰＵ２２の制御によって信号処理回路２０へ入力される。信号処理回路２０では、入力されたデジタル撮像信号に対して色分離処理を施し、更にＹＵＶ変換により、Ｙ、Ｕ、Ｖ信号に変換する。そして、信号処理回路２０で変換されたデジタル画像信号は、バス４０を介して、再びＳＤＲＡＭ３２へ格納される。本実施例においては、上述したＣＭＯＳイメージャユニット１８から出力されたデジタル撮像信号が、信号処理回路２０でデジタル画像信号に変換処理され、ＳＤＲＡＭ３２に格納されるまでの処理を、撮影処理と定義する。
【００２９】
また、ＳＤＲＡＭ３２に格納されたデジタル画像信号は、ＣＰＵ２２の制御によりＬＣＤ３８へ出力される。ＬＣＤ３８は、図示しないＬＣＤドライバを含み、ＬＣＤドライバはＹ、Ｕ、Ｖ信号をＲＧＢ信号に変換して、ＬＣＤ３８にデジタル画像信号に基づく画像信号を表示させる。
【００３０】
そして、ＳＤＲＡＭ３２に格納されたデジタル画像信号は、画像圧縮／伸張回路２４によって圧縮処理が施され、圧縮画像データとして、バス４０を介して、再びＳＤＲＡＭ３２に格納される。ＳＤＲＡＭ３２に格納された圧縮画像データは、無線ＬＡＮ内蔵メモリカード２内の外部メモリカードインタフェース２ｃを介して、メモリ部２ａに格納される。
【００３１】
さて、操作部３６は、カーソルキー、メニューキー、決定キーおよびデジタルカメラ１０本体に対する電源である電池４２もしくは外部電源４４からの電力供給のオン／オフを切り換えるメインスイッチを備えている。なお、外部電源４４が接続された場合には、電池４２の電力はデジタルカメラ１０に供給されない。また、操作部３６はサブＣＰＵ３４と接続されており、操作部３６の上記のキーのいずれかが操作されたことをサブＣＰＵ３４は検出し、メインＣＰＵ２２および／または電源制御部２８に、識別信号を送る。電源制御部２８は、サブＣＰＵ３４またはメインＣＰＵ２２からの指示に従って、電源制御、すなわち電池４２または外部電源４４からの電力供給のオン／オフを実行する。また、後述するように、操作部３６において、カーソルキー、メニューキーおよび決定キーが所定操作されることによって、メインＣＰＵ２２は、無線ＬＡＮ制御部２ｂを制御し、無線ＬＡＮによるデータ通信ＯＮ状態になると、メモリ２ａに格納されている圧縮画像データは、外部メモリカードインタフェース２ｃ、無線ＬＡＮインタフェース２ｄを介して、無線ＬＡＮブロードバンドルータ６へ送信されてＰＣ８に転送される。
【００３２】
さて、上述したように、デジタルカメラ１０に無線ＬＡＮ内蔵メモリカードが装着されると、無線ＬＡＮ通信を行うことができることを説明したが、本実施例では、無線ＬＡＮ通信におけるユーザが所望する利用方法に応じた通信方法を設定することができる。その際の手順について、図３の遷移図を用いて説明する。
【００３３】
図３（ａ）のようにＬＣＤ３８に、デジタル画像信号に基づく画像が表示された状態で、操作部３６のメニューキーおよびカーソルキーが操作されると、ＬＣＤ３８に図３（ｂ）に示すようにＬＣＤ３８上にオプションメニュー画面が表示される。オプションメニューとして、“日付”、“オープニング画面”、“明るさ”および“無線ＬＡＮ内蔵メモリカード”の項目が用意されており、カーソルキーが操作されることにより“無線ＬＡＮ内蔵メモリカード”にカーソルが合わせられ、決定キーが操作されることにより、図３（ｃ）に示すように無線ＬＡＮ内蔵メモリカード２に関する詳細な設定を行う無線ＬＡＮ内蔵メモリカード設定画面が、ＬＣＤ３８上に表示される。無線ＬＡＮ内蔵メモリカード設定の項目として、“セットアップ”、“電源管理”、“ネットワーク”および“情報表示”が用意されている。カーソルキーおよび決定キーを操作することによって、“セットアップ”の項目が選択されると、無線ＬＡＮ通信のＯＮ／ＯＦＦに設定することができ、“電源管理”の項目が選択されると、後述するが、電源の電圧レベルに応じて無線ＬＡＮ通信を制御するための設定をすることができ、“ネットワーク”の項目が選択されると、アクセスポイントが複数ある際に、ユーザが所望するアクセスポイントを設定することができる。なお、本実施例では、アクセスポイントは１つであるとして、説明する。“情報表示”の項目が選択された場合には、ＬＣＤ３８上に現在の無線ＬＡＮ通信の状況を表示する。
【００３４】
さて、ここで図３（ｃ）に示すように、“電源管理”の項目が選択されると、図３（ｄ）に示すように、“電池電圧レベル０”、“電池電圧レベル１０”、“電池電圧レベル３０”、“電池電圧レベル５０”および“外部電源接続時のみ”の項目が、ＬＣＤ３８上に表示される。本実施例におけるデジタルカメラ１０では、この“電源管理”の項目で電池電圧レベルが設定されることにより、ユーザが選択した所望の電池電圧レベルよりも現在の電池４２の電圧（残量）が設定されたレベルが小さくなった場合には、例え、無線ＬＡＮ通信がＯＮに設定されていたとしても、自動的に無線ＬＡＮ通信をＯＦＦすることにより、ユーザが設定した電池電圧レベルを確保し、ユーザがデジタルカメラを使用しようとしたときに、無線ＬＡＮ通信により電池４２に基づく電力が消耗されることにより、電力が足りずに使用できないといった不都合のない、ユーザの利用方法に応じた電源管理をすることができる。
【００３５】
本実施例では、電池４２がフル充電された状態を電池電圧レベル１００とし、充電状態が半分のときに、電池電圧レベル５０とし、充電状態が０のときに、電池電圧レベル０としている。
【００３６】
例えば、“電源管理”項目において“電池電圧レベル０”が設定された場合には、現在の電池電圧レベルが０である（電池残量が０％である）とメインＣＰＵ２２が認識したときに、無線ＬＡＮ通信をＯＦＦするよう、無線ＬＡＮ制御部２ｂに指示する。“電源管理”項目で設定される電池電圧レベルは、レジスタ２２ａに格納される。ここで、電池電圧レベルは、電池４２の電圧値に基づいて検出される。
【００３７】
“電池電圧レベル１０”が設定された場合には、現在の電池電圧レベルが１０以下である（電池残量が１０％以下である）とメインＣＰＵ２２が認識したときに無線ＬＡＮ通信をＯＦＦするようにし、同様に、“電池電圧レベル３０”が設定された場合には、現在の電池電圧レベルが３０以下である（電池残量が３０％以下である）とメインＣＰＵ２２が認識したときに、無線ＬＡＮ通信をＯＦＦするようにし、“電池電圧レベル５０”が設定された場合には、現在の電池電圧レベルが５０以下である（電池残量が５０％以下である）とメインＣＰＵ２２が認識したときに、無線ＬＡＮ通信をＯＦＦするようにする。
【００３８】
また、電池電圧レベルが５０に設定され、かつ、現在の電池電圧レベルが５０以下であるとメインＣＰＵ２２が認識し、無線ＬＡＮ通信をＯＦＦするよう、無線ＬＡＮ制御部２ｂに指示した後に、電池４２が交換された場合に、現在の電池電圧レベルが５０よりも大きいとメインＣＰＵ２２が認識すると、無線ＬＡＮ通信をＯＮするように、無線ＬＡＮ制御部２ｂに指示する。また、電池電圧レベルが５０に設定され、かつ、現在の電池電圧レベルが５０以下であるとメインＣＰＵ２２が認識し、無線ＬＡＮ通信をＯＦＦするよう、無線ＬＡＮ制御部２ｂに指示した後に、電池電圧レベルが１０に設定された場合に、現在の電池電圧レベルが１０よりも大きいと認識すると無線ＬＡＮ通信をＯＮするように、無線ＬＡＮ制御部２ｂに指示する。
【００３９】
このように、ユーザが設定した電池電圧レベルに応じて、無線ＬＡＮ通信をＯＮ／ＯＦＦするため、ユーザの利用方法に応じた電源管理をすることができる。
【００４０】
なお、“外部電源接続時のみ”が設定された場合には、外部電源が接続されたときにのみ、無線ＬＡＮ通信をＯＮするように制御する。これによって、無線ＬＡＮ通信による電池の消耗がなくなる。
【００４１】
そして、図３（ｄ）に示す、電池電圧レベル設定画面において、メニューキーが操作されることにより、図３（ａ）に示す、デジタル画像信号に基づく画像が表示された状態画面に戻る。
【００４２】
次に、上述したメインＣＰＵ２２における、ユーザにより設定された電池電圧レベルに応じた無線ＬＡＮ通信のＯＮ／ＯＦＦ処理の手続き（電源管理タスク）を、図４を参照して説明する。
【００４３】
操作部３６のメインスイッチが操作されたことをサブＣＰＵ３４が検出し、電源制御部２８およびメインＣＰＵ２２に対して、識別信号が送られると、メインＣＰＵ２２は、電池管理タスクを起動する。
【００４４】
ステップＳ１において、メインＣＰＵ２２は、レジスタ２２ａに格納されている現在設定されている電池電圧レベルを検出する。次にステップＳ３に進み、図３（ｃ）で設定された無線ＬＡＮ接続ＯＮ設定されているか否かを判別する。ステップＳ３において、ＮＯと判別すると、ステップＳ５に進み、サブＣＰＵ３４から操作部３６のメインスイッチが操作されることによる電源ＯＦＦの識別信号が有ったか否かを判別する。ステップＳ５において、ＹＥＳと判別すると、電池管理タスクを終了し、ＮＯと判別するとステップＳ７に進む。
【００４５】
ステップＳ７では、上述したように、メニューキー、カーソルキーおよび決定キーが操作されることにより、電池電圧レベルの変更設定操作があったか否かを判別する。ステップＳ７においてＹＥＳと判別すると、ステップＳ１に戻り、ＮＯと判別すると、ステップＳ３に戻る。
【００４６】
ステップＳ３において、ＹＥＳと判別するとステップＳ９に進み、レジスタ２２ａに設定されている電池電圧レベルが“外部電源接続時のみ”か否かを判別する。ステップＳ９においてＮＯと判別すると、ステップＳ１１に進み、電源制御部２８を制御して、現在の電池４２の電圧値を検出し、該電圧値に基づいて現在の電池電圧レベル（電池残量）を検出する。次にステップＳ１３に進み、現在の電池電圧レベルと、設定された電池電圧レベルとを比較し、ステップＳ１５にて、現在の電池電圧レベルが設定された電池レベルよりも大きいか否かを判別する。ステップＳ１５においてＹＥＳと判別するとステップＳ５に戻り、ＮＯと判別すると、ステップＳ１７へ進み、無線ＬＡＮ制御部２ｂを制御して無線ＬＡＮ接続をＯＦＦし、ステップＳ２３へ進む。
【００４７】
また、ステップＳ９において、ＹＥＳと判別すると、ステップＳ２１へ進み、電源制御部２８を監視し、外部電源４４が接続されているか否かを判別する。ステップＳ２１においてＹＥＳと判別するとステップＳ５へ進み、ＮＯと判別するとステップＳ１７へ進む。
【００４８】
ステップＳ２３では、メニューキー、カーソルキーおよび決定キーが操作されることにより、電池電圧レベルの変更設定操作があったか否かを判別し、ＹＥＳと判別するとレジスタ２２ａに設定されている電池電圧レベルを検出して、ステップＳ２７へ進む。ステップＳ２３においてＮＯと判別すると、ステップＳ２７へ進み、電源ＯＦＦ操作があったか否かを判別する。ステップＳ２７においてＹＥＳと判別すると、電源管理タスクを終了し、ＮＯと判別すると、ステップＳ２９へ進み現在の電池電圧レベル（電池残量）を検出する。そして、ステップＳ３１へ進み、現在の電池電圧レベルと設定されている電池電圧レベルとを比較し、ステップＳ３３において現在の電池電圧レベルが設定されて電池電圧レベルよりも大きいか否かを判別し、ＮＯと判別すると、ステップＳ２３へ戻る。ステップＳ３３においてＹＥＳと判別すると、ステップＳ３５へ進み、無線ＬＡＮ制御部２ｂを制御して無線ＬＡＮ接続をＯＮし、ステップＳ２３へ戻る。
【００４９】
本実施例の形態においては、圧縮画像データはメモリカード２に格納される。具体的には、圧縮画像データはファイル形式で格納される。静止画像の圧縮画像データは、ＪＰＥＧファイル形式で格納されている。動画像の圧縮データは、ＭＰＥＧファイル形式もしくはモーションＪＰＥＧ形式で格納される。したがって、圧縮画像データは、無線ＬＡＮ通信にてファイル単位で、デジタルカメラ１０からＰＣ８へと送信される。
【００５０】
本実施例の形態のデジタルカメラ１０は、設定された電池電圧レベル以下となると無線ＬＡＮ通信をＯＦＦするようにする。ただし、データ量の多い動画像の圧縮画像データのＰＣ８への送信中に、設定された電池電圧レベル以下となった場合、デジタルカメラ１０は、送信中の当該圧縮画像データがファイル単位でのＰＣ８への送信完了されてから、無線ＬＡＮ通信をＯＦＦする。
【００５１】
また、本実施例のデジタルカメラ１０は、無線ＬＡＮ通信がＯＮ状態のときにメモリ部２ａに格納されている圧縮画像データをＰＣ８へ送信する。当該送信すべき圧縮画像データはユーザにとって選択可能となるようにデジタルカメラ１０を構成してもよい。また、デジタルカメラ１０のメモリカード２内に格納されている送信対象となった圧縮画像データをＰＣ８への送信後に消去するように、デジタルカメラ１０を構成してもよい。この場合、無線ＬＡＮ内蔵メモリカード２のデータ格納容量を効率的に利用できる。  
【００５２】
なお、従来のデジタルカメラでは、動画像ファイルを転送中に当該デジタルカメラの電源がＯＦＦしたときに生じる問題を、外部メモリカードが処理する。具体的には、デジタルカメラの電源がＯＦＦすることにより外部メモリカードと受信側の装置との間の通信が中断した場合、受信側の装置が中断した箇所を示す情報を記憶する。その後、デジタルカメラの電源がＯＮすることにより外部メモリカードと受信側の装置との間の通信が可能となったときには、外部メモリカードは、受信側の装置で格納された上記情報に基づき、中断した箇所からデータの送信を再開する。以上により、デジタルカメラ１０は、電源をＯＦＦする指示をユーザから受け付けると、即座に電源をＯＦＦすることができる。
【００５３】
このように、本実施例によれば、無線ＬＡＮ内蔵メモリカード２が装着されたデジタルカメラ１０において、無線ＬＡＮ通信を行う際に、ユーザが所望する電池電圧レベルを確保することができる。
【００５４】
なお、本実施例では、無線通信装置としてデジタルカメラ１０に適用した例を説明したが、例えば、本実施例のデジタルカメラ１０から撮像機能を排除したデジタルフォトフレームのような画像再生機能に特化したものでもよい。また、例えば、ＩＣレコーダのような音声記録／再生機能に特化したものでもよい。その場合には、本実施例のデジタルカメラ１０から撮像機能の代わりに集音機能を、画像再生の変わりに音声再生機能が適用される。
【００５５】
また、本実施例では、無線ＬＡＮ機能が無線ＬＡＮ内蔵メモリカード２に格納されているが、無線通信装置であるデジタルカメラ１０内に内蔵されてもよい。また、無線ＬＡＮ機能を、無線ＬＡＮ内蔵メモリカード２から独立させ、無線ＬＡＮカードのような無線ＬＡＮアダプタを装着させてもよい。
【００５６】
また、本実施例では、外部電源４４としてＡＣアダプタを使用してもよい。
【符号の説明】
【００５７】
２      ・・・無線ＬＡＮ内蔵メモリカード
１０    ・・・デジタルカメラ
２２    ・・・メインＣＰＵ
２８    ・・・電源制御部
４２    ・・・電池
４４    ・・・外部電源
【図１】
2010283810.tif 000003
【図２】
2010283810.tif 000004
【図３】
2010283810.tif 000005
【図４】
2010283810.tif 000006
【図５】
2010283810.tif 000007